(57)【要約】【課題】記録媒体の容量の無駄な消費を抑制しながら、番組を録画し損ねることなく連続録画を行うことが可能な録画装置を提供する。【解決手段】このＨＤＤレコーダ１００（録画装置）は、放送を受信するチューナ２１と、チューナ２１により受信した放送をＨＤＤ３に連続録画する制御を行うことが可能な制御部１とを備える。そして、制御部１は、連続録画するように設定されている場合において、ＨＤＤ３に録画された第１の番組と同じ内容の第２の番組の放送中は録画を停止させるとともに、第２の番組の放送終了後に連続録画を再開する制御を行うように構成されている。【選択図】図１
2014003497.tif 000002
【特許請求の範囲】
【請求項１】
放送を受信する放送受信部と、
前記放送受信部により受信した放送を記録媒体に連続録画する制御を行うことが可能な制御部とを備え、
前記制御部は、連続録画するように設定されている場合において、前記記録媒体に録画された第１の番組と同じ内容の第２の番組の放送中は録画を停止させるとともに、前記第２の番組の放送終了後に連続録画を再開する制御を行うように構成されている、録画装置。
【請求項２】
前記制御部は、連続録画するように設定されている場合において、前記第２の番組の放送中に録画を停止させている場合に、前記放送受信部への電力の供給を停止する制御または前記放送受信部を省電力モードに移行する制御を行うように構成されている、請求項１に記載の録画装置。
【請求項３】
前記制御部は、連続録画するように設定されている場合において、前記第２の番組の放送終了後に連続録画を再開する場合に、前記放送受信部への電力の供給を停止している場合に前記放送受信部への電力の供給を再開する制御、または、前記放送受信部を省電力モードに移行している場合に前記放送受信部を省電力モードから通常モードに復帰する制御を行うように構成されている、請求項２に記載の録画装置。
【請求項４】
前記制御部は、前記放送受信部により受信した番組情報に基づいて、前記第１の番組と同じ内容の前記第２の番組を検索するように構成されている、請求項１〜３のいずれか１項に記載の録画装置。
【請求項５】
前記制御部は、前記第１の番組の録画データを、前記第２の番組の番組情報に関連付けるとともに、前記第２の番組の番組情報に基づいて再生が行われる場合に、前記第１の番組の録画データを引用して再生するように構成されている、請求項１〜４のいずれか１項に記載の録画装置。
【請求項６】
前記制御部は、連続録画するように設定されている場合において、前記記憶媒体の記憶容量の残量が所定の値以下になった場合に連続録画した番組の録画データを録画した日時順に消去して新しい番組を上書き録画するとともに、前記第１の番組の録画データが前記第２の番組の番組情報に関連付けられている場合には、前記第１の番組の録画データを前記第２の番組が放送された日時を基準として消去するように構成されている、請求項５に記載の録画装置。
【請求項７】
前記放送受信部は、複数設けられており、
前記制御部は、連続録画するように設定されている場合において、前記第２の番組の放送中に録画を停止させている場合に、複数の前記放送受信部のうち、前記第２の番組を受信する前記放送受信部への電力の供給を停止する制御または前記第２の番組を受信する前記放送受信部を省電力モードに移行する制御を行うように構成されている、請求項１〜６のいずれか１項に記載の録画装置。
【発明の詳細な説明】
【技術分野】
【０００１】
この発明は、録画装置に関し、特に、放送を録画可能な録画装置に関する。
【背景技術】
【０００２】
従来、放送を録画可能な録画装置が知られている（たとえば、特許文献１参照）。
【０００３】
上記特許文献１には、放送局からの放送を受信するコンテンツ受信部（放送受信部）と、コンテンツ受信部により受信したコンテンツ（番組）をデータ蓄積装置（記録媒体）に録画する制御を行う処理部（制御部）とを備えるコンテンツ受信装置（録画装置）が開示されている。このコンテンツ受信装置では、処理部は、利用者の指示に基づいて録画しようとするコンテンツが、過去に録画した録画済みコンテンツと同じ内容のコンテンツである場合、録画を中止する制御を行うように構成されている。
【先行技術文献】
【特許文献】
【０００４】
【特許文献１】特開２００８−１１３１４７号公報
【発明の概要】
【発明が解決しようとする課題】
【０００５】
しかしながら、上記特許文献１には、放送を連続録画するという構成は開示されていない。また、上記特許文献１のコンテンツ受信装置（録画装置）で、コンテンツ（番組）を連続録画しようとすれば、連続録画中に過去に録画した録画済みコンテンツと同じ内容のコンテンツがあると、録画が中止されて、それ以降に放送されるコンテンツが録画されないと考えられる。このため、データ蓄積装置（記録媒体）の容量の無駄な消費を抑制しながら、コンテンツを録画し損ねることなく連続録画を行うことができないという問題点がある。
【０００６】
この発明は、上記のような課題を解決するためになされたものであり、この発明の１つの目的は、記録媒体の容量の無駄な消費を抑制しながら、番組を録画し損ねることなく連続録画を行うことが可能な録画装置を提供することである。
【課題を解決するための手段】
【０００７】
この発明の一の局面による録画装置は、放送を受信する放送受信部と、放送受信部により受信した放送を記録媒体に連続録画する制御を行うことが可能な制御部とを備え、制御部は、連続録画するように設定されている場合において、記録媒体に録画された第１の番組と同じ内容の第２の番組の放送中は録画を停止させるとともに、第２の番組の放送終了後に連続録画を再開する制御を行うように構成されている。
【０００８】
この発明の一の局面による録画装置では、上記のように、連続録画するように設定されている場合において、記録媒体に録画された第１の番組と同じ内容の第２の番組の放送中は録画を停止させるとともに、第２の番組の放送終了後に連続録画を再開する制御を行う制御部を設けることによって、記録媒体に録画された番組と同じ内容の番組が重複して録画されることが防止されるので、記録媒体の容量の無駄な消費を抑制することができる。また、第２の番組の放送終了後に連続録画が再開されるので、それ以降に放送される番組を録画し損ねることなく連続録画を行うことができる。したがって、記録媒体の容量の無駄な消費を抑制しながら、番組を録画し損ねることなく連続録画を行うことができる。
【０００９】
上記一の局面による録画装置において、好ましくは、制御部は、連続録画するように設定されている場合において、第２の番組の放送中に録画を停止させている場合に、放送受信部への電力の供給を停止する制御または放送受信部を省電力モードに移行する制御を行うように構成されている。このように構成すれば、放送受信部への電力の供給を停止または放送受信部を省電力モードに移行して、録画装置の消費電力を低減することができる。なお、省電力モードとは、供給する電力を軽減させるモードである。
【００１０】
この場合、好ましくは、制御部は、連続録画するように設定されている場合において、第２の番組の放送終了後に連続録画を再開する場合に、放送受信部への電力の供給を停止している場合に放送受信部への電力の供給を再開する制御、または、放送受信部を省電力モードに移行している場合に放送受信部を省電力モードから通常モードに復帰する制御を行うように構成されている。このように構成すれば、第２の番組の放送終了後、連続録画を容易に再開することができる。なお、通常モードとは、電力を軽減させずに通常通り供給するモードである。
【００１１】
上記一の局面による録画装置において、好ましくは、制御部は、放送受信部により受信した番組情報に基づいて、第１の番組と同じ内容の第２の番組を検索するように構成されている。このように構成すれば、番組名や番組内容などの番組情報に基づいて、第１の番組と同じ内容の第２の番組を容易に検索することができる。
【００１２】
上記一の局面による録画装置において、好ましくは、制御部は、第１の番組の録画データを、第２の番組の番組情報に関連付けるとともに、第２の番組の番組情報に基づいて再生が行われる場合に、第１の番組の録画データを引用して再生するように構成されている。このように構成すれば、第２の番組の番組情報に関連付けられた第１の番組の録画データを、第２の番組の番組情報に連携して、再生したり、消去したりすることができる。また、第１の番組の録画データを引用して第２の番組と同じ内容の番組を容易に視聴することができる。
【００１３】
この場合、好ましくは、制御部は、連続録画するように設定されている場合において、記憶媒体の記憶容量の残量が所定の値以下になった場合に連続録画した番組の録画データを録画した日時順に消去して新しい番組を上書き録画するとともに、第１の番組の録画データが第２の番組の番組情報に関連付けられている場合には、第１の番組の録画データを第２の番組が放送された日時を基準として消去するように構成されている。このように構成すれば、第２の番組が放送された日時の順番の番組の録画データを消去するタイミングまで第１の番組の録画データが消去されないので、第２の番組と同じ内容の番組が視聴できなくなることを抑制することができる。
【００１４】
上記一の局面による録画装置において、好ましくは、放送受信部は、複数設けられており、制御部は、連続録画するように設定されている場合において、第２の番組の放送中に録画を停止させている場合に、複数の放送受信部のうち、第２の番組を受信する放送受信部への電力の供給を停止する制御または第２の番組を受信する放送受信部を省電力モードに移行する制御を行うように構成されている。このように構成すれば、第２の番組を受信する放送受信部以外の放送受信部により受信した放送の連続録画を継続しながら、第２の番組を受信する放送受信部への電力の供給を停止または第２の番組を受信する放送受信部を省電力モードに移行して、録画装置の消費電力を効率的に低減することができる。
【図面の簡単な説明】
【００１５】
【図１】本発明の一実施形態によるＨＤＤレコーダを示したブロック図である。
【図２】本発明の一実施形態によるＨＤＤレコーダの番組表の一例を示した図である。
【図３】本発明の一実施形態によるＨＤＤレコーダの制御部による録画処理を説明するためのフローチャートである。
【図４】本発明の一実施形態によるＨＤＤレコーダの制御部による上書き保存処理を説明するためのフローチャートである。
【発明を実施するための形態】
【００１６】
以下、本発明の実施形態を図面に基づいて説明する。
【００１７】
まず、図１および図２を参照して、本発明の一実施形態によるＨＤＤレコーダ１００の構成について説明する。
【００１８】
本発明の一実施形態によるＨＤＤレコーダ１００は、図１に示すように、制御部１と、チューナブロック２と、ＨＤＤ（ハードディスクドライブ）３と、通信部４と、電源回路５とを備えている。チューナブロック２は、複数のチューナ２１と、それらに対応する複数の映像処理部２２とを含む。また、チューナブロック２には、アンテナ６が接続されている。また、ＨＤＤレコーダ１００は、連続録画するように設定することが可能に構成されている。なお、ＨＤＤレコーダ１００は、本発明の「録画装置」の一例である。また、ＨＤＤ３は、本発明の「記録媒体」の一例であり、チューナ２１は、本発明の「放送受信部」の一例である。
【００１９】
制御部１は、ＨＤＤレコーダ１００の各部を制御するように構成されている。具体的には、制御部１は、チューナ２１により受信した放送をＨＤＤ３に録画して記録する制御を行うように構成されている。また、制御部１は、通信部４を制御して、外部の表示装置（図示せず）に映像を表示させるための映像信号および音声を出力させるための音声信号を送信するように構成されている。また、制御部１は、電源回路５からＨＤＤレコーダ１００の各部に供給される電力の制御を行うように構成されている。
【００２０】
また、制御部１は、チューナ２１により受信した番組情報に基づいて、ＥＰＧ（電子番組表）を作成するように構成されている。なお、番組情報は、放送局ごとに、それぞれ配信されている。また、番組情報は、７日先までの情報が配信されている。また、番組情報は、変更（たとえば、番組の延長など）される度に更新されて配信されている。また、番組情報は、番組名、番組開始時刻、番組終了時刻、番組内容、および、再放送についての情報を含む。
【００２１】
また、制御部１は、チューナ２１により受信した放送をＨＤＤ３に連続録画する制御を行うことが可能に構成されている。具体的には、制御部１は、各チューナ２１によりそれぞれ受信する各チャンネルの番組をＨＤＤ３に２４時間録画する制御を行うことが可能に構成されている。また、連続録画する場合に、連続録画するチャネル、録画する画質をユーザにより設定することが可能なように構成されている。また、連続録画する場合における録画可能期間（たとえば、１週間）は、ＨＤＤ３の容量、連続録画するチャンネル数または録画する画質などを考慮して設定される。また、制御部１は、連続録画するように設定されている場合において、連続録画した番組の録画データを番組情報に関連付けるように構成されている。つまり、制御部１は、連続録画した番組をＥＰＧからユーザにより選択させて再生することが可能なように録画データと番組情報とを関連付けるように構成されている。また、制御部１は、連続録画するように設定されている場合において、ＨＤＤ３の記憶容量の残量が所定の値以下になった場合に連続録画した番組の録画データを録画した日時順に消去して新しい番組を上書き録画するように構成されている。
【００２２】
ここで、本実施形態では、制御部１は、連続録画するように設定されている場合において、ＨＤＤ３に録画された第１の番組と同じ内容の第２の番組の放送中は録画を停止させて第２の番組を録画しないとともに、第２の番組の放送終了後に連続録画を再開する制御を行うように構成されている。たとえば、図２に示す例では、２チャンネルの４月１日の１９時から２１時までの時間帯のドラマ番組と、４月５日の１５時から１７時までの時間帯のドラマ番組（再放送）とは、同じ内容の番組である。この場合、制御部１は、４月１日の１９時から２１時までの時間帯のドラマ番組がＨＤＤ３に録画されていれば、４月５日の１５時から１７時までの時間帯のドラマ番組（再放送）の放送中は２チャンネルの連続録画を停止させる。つまり、制御部１は、４月５日の１５時から１７時までの時間帯のドラマ番組（再放送）の録画を行わないように制御する。また、制御部１は、４月５日の１５時から１７時までの時間帯のドラマ番組（再放送）の放送終了後に２チャンネルの中断していた連続録画を再開する制御を行う。なお、４月１日の１９時から２１時までの時間帯のドラマ番組は、本発明の「第１の番組」の一例である。また、４月５日の１５時から１７時までの時間帯のドラマ番組（再放送）は、本発明の「第２の番組」の一例である。
【００２３】
また、本実施形態では、制御部１は、連続録画するように設定されている場合において、第２の番組の放送中に録画を停止させている場合に、チューナ２１を省電力モードに移行する制御を行うように構成されている。つまり、制御部１は、連続録画するように設定されている場合において、第２の番組の放送中に連続録画を停止させている場合に、複数のチューナ２１のうち、第２の番組を受信するチューナ２１を省電力モードに移行する制御を行うように構成されている。また、制御部１は、連続録画するように設定されている場合において、第２の番組の放送終了後に連続録画を再開する場合に、省電力モードに移行したチューナ２１を省電力モードから通常モードに復帰する制御を行うように構成されている。また、制御部１は、チューナ２１を省電力モードに移行している期間、省電力モードのチューナ２１に対応する映像処理部２２への電力の供給を停止する制御を行うように構成されている。たとえば、図２に示す例では、４月５日の１５時から１７時までの時間帯のドラマ番組（再放送）の放送中は、制御部１は、２チャンネルを受信しているチューナ２１を省電力モードに移行し、放送終了後、通常モードに復帰する制御を行う。また、制御部１は、４月５日の１５時から１７時までの期間、２チャンネルを受信しているチューナ２１に対応する映像処理部２２への電力の供給を停止する制御を行う。なお、省電力モードは、供給する電力を軽減させるモードであり、通常モードは、電力を軽減させずに通常通り供給するモードである。
【００２４】
また、制御部１は、番組情報に基づいて、ＨＤＤ３に録画した番組と同じ内容の番組を、連続録画する場合において録画する予定の番組の中から検索するように構成されている。具体的には、制御部１は、ＨＤＤ３に録画した番組の番組情報（番組名、番組内容、または、再放送についての情報）と、連続録画する場合において録画するチャンネルの放送予定の番組情報（番組名、番組内容、または、再放送についての情報）とを比較して、ＨＤＤ３に録画した第１の番組と同じ内容の第２の番組を検索するように構成されている。
【００２５】
また、制御部１は、第１の番組の録画データを、第２の番組の番組情報に関連付けるように構成されている。具体的には、制御部１は、第２の番組の番組情報に基づいて再生が行われる場合に、第１の番組の録画データを引用して再生するように構成されている。たとえば、図２に示す例では、連続録画により録画したチャンネルの番組表から、４月５日の１５時から１７時までの時間帯のドラマ番組（再放送）の番組情報（番組名）がユーザにより選択された場合に、制御部１は、４月１日の１９時から２１時までの時間帯のドラマ番組の録画データを引用して再生する制御を行う。
【００２６】
また、制御部１は、第１の番組の録画データが第２の番組の番組情報に関連付けられている場合には、第１の番組の録画データを第２の番組が放送された日時を基準として消去するように構成されている。つまり、制御部１は、第２の番組が録画されていると仮定して第２の番組の録画データを消去するタイミングで、第１の番組の録画データを消去するように構成されている。たとえば、図２に示す例では、４月１日の１９時から２１時までの時間帯のドラマ番組の録画データが１番古くなった場合でも、制御部１は、４月１日の１９時から２１時までの時間帯のドラマ番組の録画データを消去しない。そして、制御部１は、４月５日の１５時から１７時までの時間帯の番組を消去するタイミングで、４月１日の１９時から２１時までの時間帯のドラマ番組の録画データを消去して新たな番組を上書き録画するように構成されている。
【００２７】
チューナブロック２は、複数のチャンネルを受信するために、複数（たとえば、６つ）のチューナ２１を含む。また、チューナブロック２は、複数のチューナ２１にそれぞれ対応する複数（たとえば、６つ）の映像処理部２２を含む。チューナ２１は、アンテナ６を介して放送波を受信するように構成されている。また、チューナ２１は、放送局から配信される番組情報を受信可能に構成されている。映像処理部２２は、チューナ２１により受信した放送波に基づいて、受信した放送を復調するように構成されている。また、映像処理部２２は、映像信号および音声信号のそれぞれに対してデコード処理（符号の復号化）を行い、映像データおよび音声データを生成するように構成されている。
【００２８】
ＨＤＤ３は、録画した放送番組の映像・音声データが記録されるように構成されている。また、ＨＤＤ３は、チューナ２１により受信した番組情報が記録されるように構成されている。また、ＨＤＤ３は、番組情報に基づくＥＰＧが記録されるように構成されている。通信部４は、外部の表示装置（図示せず）に映像を表示させるための映像信号および音声を出力させるための音声信号を送信可能に構成されている。電源回路５は、ＨＤＤレコーダ１００の各部に電力を供給するように構成されている。
【００２９】
次に、図３を参照して、ＨＤＤレコーダ１００の制御部１が行う録画処理について説明する。この処理は、ユーザによりＨＤＤレコーダ１００が連続録画するように設定されている場合に継続的に実行されている。
【００３０】
ステップＳ１において、制御部１は、チューナ２１により各放送局から番組情報を取得する。制御部１は、ステップＳ２において、番組情報を取得した番組と同じ内容の番組がＨＤＤ３にあるか否かを判断する。具体的には、制御部１は、取得した番組情報（番組名、番組内容、または、再放送についての情報）と、ＨＤＤ３に録画した番組の番組情報とに基づいて、ＨＤＤ３に録画した第１の番組と同じ内容の第２の番組を検索する。ＨＤＤ３に同じ内容の番組があれば、ステップＳ３に進み、ＨＤＤ３に同じ内容の番組がなければ、ステップＳ１５に進む。
【００３１】
制御部１は、ステップＳ３において、検索した録画不要番組の開始時刻および終了時刻を記録する。具体的には、制御部１は、ＨＤＤ３に録画した第１の番組と同じ内容の第２の番組のチャンネル、開始時刻および終了時刻を記録する。制御部１は、ステップＳ４において、２４時間録画を行う。つまり、制御部１は、連続録画するように設定されている場合において、ユーザにより設定されたチャンネルの連続録画を行う。
【００３２】
ここで、本実施形態では、制御部１は、ステップＳ５において、録画不要番組の開始時刻であるか否かを判断する。つまり、制御部１は、第２の番組の放送の開始時刻になったか否かを判断する。制御部１は、録画不要番組の開始時刻になるまで、この判断を繰り返す。録画不要番組の開始時刻になれば、ステップＳ６において、制御部１は、録画不要番組のチャンネルの連続録画を停止する。つまり、制御部１は、第２の番組の録画を行わない制御を行う。
【００３３】
制御部１は、ステップＳ７において、使用しないチューナ２１を省電力モードに移行する制御を行う。具体的には、制御部１は、第２の番組のチャンネルを受信するチューナ２１を省電力モードに移行する制御を行う。制御部１は、ステップＳ８において、使用しない映像処理部２２の電源をＯＦＦにする制御を行う。具体的には、制御部１は、電源回路５から省電力モードに移行したチューナ２１に対応する映像処理部２２への電力の供給を停止する制御を行う。
【００３４】
制御部１は、ステップＳ９において、録画不要番組の終了時刻であるか否かを判断する。つまり、制御部１は、第２の番組の放送の終了時刻になったか否かを判断する。制御部１は、録画不要番組の終了時刻になるまで、この判断を繰り返す。録画不要番組の終了時刻になれば、ステップＳ１０において、制御部１は、電源をＯＦＦにした映像処理部２２の電源をＯＮにする制御を行う。
【００３５】
また、本実施形態では、制御部１は、ステップＳ１１において、省電力モードに移行したチューナ２１を省電力モードから復帰する制御を行う。具体的には、制御部１は、第２の番組のチャンネルを受信するチューナ２１を省電力モードから通常モードに復帰する制御を行う。制御部１は、ステップＳ１２において、連続録画を停止していたチャンネルの連続録画を再開する。
【００３６】
制御部１は、ステップＳ１３において、ステップＳ２の検索結果に基づいて、録画不要番組があるか否かを判断する。つまり、制御部１は、ＨＤＤ３に録画した第１の番組と同じ内容の第２の番組が他にもあるか否かを判断する。録画不要番組があれば、ステップＳ５に戻る。録画不要番組がなければ、ステップＳ１４に進む。
【００３７】
制御部１は、ステップＳ１４において、番組情報を再取得する必要があるか否かを判断する。たとえば、制御部１は、日付が変わるなどしてチューナ２１により受信する番組情報が更新された場合に、番組情報を再取得する必要があると判断する。再取得する必要があれば、ステップＳ１に戻る。再取得する必要がなければ、録画処理を終了する。
【００３８】
ステップＳ２において、ＨＤＤ３に同じ内容の番組がないと判断したら、制御部１は、ステップＳ１５において、２４時間録画を行う。つまり、制御部１は、連続録画するように設定されている場合において、ユーザにより設定されたチャンネルの連続録画を行う。その後、録画処理を終了する。
【００３９】
次に、図４を参照して、ＨＤＤレコーダ１００の制御部１が行う上書き保存処理について説明する。この処理は、ユーザによりＨＤＤレコーダ１００が連続録画するように設定されている場合に継続的に実行されている。
【００４０】
ステップＳ２１において、制御部１は、削除対象の番組を選択する。つまり、制御部１は、連続録画するように設定されている場合において連続録画した番組のうち一番古い日時の録画データの番組を選択する。
【００４１】
制御部１は、ステップＳ２２において、選択した番組の録画データが、自身より新しい日時の他の番組（第２の番組）の番組情報から引用されているか否かを判断する。つまり、制御部１は、選択した番組が第１の番組であるか否かを判断する。たとえば、図２に示す例において、選択した番組が、４月１日の１９時から２１時までの時間帯のドラマ番組であれば、この番組の録画データは、４月５日の１５時から１７時までの時間帯のドラマ番組（再放送）の番組情報に引用されている。録画データが引用されていなければ、ステップＳ２３に進み、録画データが引用されていれば、ステップＳ２６に進む。
【００４２】
制御部１は、ステップＳ２３において、選択した番組の番組情報が、自身より古い日時の他の番組（第１の番組）の録画データを引用しているか否かを判断する。つまり、制御部１は、選択した番組が第２の番組であるか否かを判断する。たとえば、図２に示す例において、選択した番組が、４月５日の１５時から１７時までの時間帯のドラマ番組（再放送）であれば、この番組の番組情報は、４月１日の１９時から２１時までの時間帯のドラマ番組の録画データを引用している。録画データを引用していなければ、ステップＳ２４において、制御部１は、選択した番組の録画データを消去して新しい番組を上書き録画する制御を行い、その後、上書き保存処理を終了する。一方、録画データを引用していれば、ステップＳ２５において、制御部１は、引用している録画データを消去して新しい番組を上書き録画する制御を行い、その後、上書き保存処理を終了する。
【００４３】
ステップＳ２２において録画データが引用されていると判断した場合には、制御部１は、ステップＳ２６において、選択した番組の録画データを維持（保存）して、その後、上書き保存処理を終了する。つまり、制御部１は、選択した番組の録画データを消去せず、そのまま対応する録画データを残す制御を行う。この場合、制御部１は、ステップＳ２１において、次に古い日時の番組を選択して、上書き保存処理を再びステップＳ２１から行う。
【００４４】
本実施形態では、上記のように、連続録画するように設定されている場合において、ＨＤＤ３に録画された第１の番組と同じ内容の第２の番組の放送中は録画を停止させるとともに、第２の番組の放送終了後に連続録画を再開する制御を行う制御部１を設けることによって、ＨＤＤ３に録画された番組と同じ内容の番組が重複して録画されることが防止されるので、ＨＤＤ３の容量の無駄な消費を抑制することができる。また、第２の番組の放送終了後に連続録画が再開されるので、それ以降に放送される番組を録画し損ねることなく連続録画を行うことができる。したがって、ＨＤＤ３の容量の無駄な消費を抑制しながら、番組を録画し損ねることなく連続録画を行うことができる。
【００４５】
また、本実施形態では、上記のように、制御部１を、連続録画するように設定されている場合において、第２の番組の放送中に録画を停止させている場合に、チューナ２１を省電力モードに移行する制御を行うように構成することによって、チューナ２１を省電力モードに移行して、ＨＤＤレコーダ１００の消費電力を低減することができる。
【００４６】
また、本実施形態では、上記のように、制御部１を、連続録画するように設定されている場合において、第２の番組の放送終了後に連続録画を再開する場合に、チューナ２１を省電力モードから通常モードに復帰する制御を行うように構成することによって、第２の番組の放送終了後、連続録画を容易に再開することができる。
【００４７】
また、本実施形態では、上記のように、制御部１を、チューナ２１により受信した番組情報に基づいて、第１の番組と同じ内容の第２の番組を検索するように構成することによって、番組名や番組内容などの番組情報に基づいて、第１の番組と同じ内容の第２の番組を容易に検索することができる。
【００４８】
また、本実施形態では、上記のように、制御部１を、第１の番組の録画データを、第２の番組の番組情報に関連付けるとともに、第２の番組の番組情報に基づいて再生が行われる場合に、第１の番組の録画データを引用して再生するように構成することによって、第２の番組の番組情報に関連付けられた第１の番組の録画データを、第２の番組の番組情報に連携して、再生したり、消去したりすることができる。また、第１の番組の録画データを引用して第２の番組と同じ内容の番組を容易に視聴することができる。
【００４９】
また、本実施形態では、上記のように、制御部１を、連続録画するように設定されている場合において、ＨＤＤ３の記憶容量の残量が所定の値以下になった場合に連続録画した番組の録画データを録画した日時順に消去して新しい番組を上書き録画するとともに、第１の番組の録画データが第２の番組の番組情報に関連付けられている場合には、第１の番組の録画データを第２の番組が放送された日時を基準として消去するように構成する。これにより、第２の番組が放送された日時の順番の番組の録画データを消去するタイミングまで第１の番組の録画データが消去されないので、第２の番組と同じ内容の番組が視聴できなくなることを抑制することができる。
【００５０】
また、本実施形態では、上記のように、制御部１を、連続録画するように設定されている場合において、第２の番組の放送中に録画を停止させている場合に、複数のチューナ２１のうち、第２の番組を受信するチューナ２１を省電力モードに移行する制御を行うように構成する。これにより、第２の番組を受信するチューナ２１以外のチューナ２１により受信した放送の連続録画を継続しながら、第２の番組を受信するチューナ２１を省電力モードに移行して、ＨＤＤレコーダ１００の消費電力を効率的に低減することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明の録画装置の一例としてＨＤＤレコーダを適用する例を示したが、本発明はこれに限られない。放送を録画することが可能であれば、たとえば、ＴＶ、パーソナルコンピュータまたは情報端末などＨＤＤレコーダ以外の録画装置に本発明を適用してもよい。
【００５３】
また、上記実施形態では、本発明の録画装置としてのＨＤＤレコーダが、記録媒体としてのＨＤＤを備える構成の例を示したが、本発明はこれに限られない。本発明では、受信した放送を記録媒体に録画することができれば、録画装置が記録媒体を備えていなくてもよい。たとえば、記録媒体は、外付けのＨＤＤでもよいし、ＤＶＤ（デジタル多用途ディスク）やＢＤ（ブルーレイディスク）などの光ディスクでもよい。また、記録媒体は、内蔵のフラッシュメモリなどでもよいし、取り外し可能なメモリーカードなどでもよい。
【００５４】
また、上記実施形態では、制御部は、連続録画するように設定されている場合において、第２の番組の放送中に録画を停止させている場合に、チューナ（放送受信部）を省電力モードに移行する制御を行うように構成されている例を示したが、本発明はこれに限られない。本発明では、制御部は、連続録画するように設定されている場合において、第２の番組の放送中に録画を停止させている場合に、放送受信部への電力の供給を停止する制御を行うように構成されていてもよい。この場合、制御部は、連続録画するように設定されている場合において、第２の番組の放送終了後に連続録画を再開する場合に、放送受信部への電力の供給を再開する制御を行うように構成されていてもよい。
【００５５】
また、上記実施形態では、本発明の録画装置としてのＨＤＤレコーダが、複数のチューナ（放送受信部）を備える構成の例を示したが、本発明はこれに限られない。本発明では、録画装置は、１つの放送受信部を備える構成であってもよい。
【００５６】
また、上記実施形態では、第１の番組および第２の番組が同じチャンネルで互いに異なる日付に放送される構成の例を示したが、本発明はこれに限られない。本発明では、第１の番組および第２の番組は、内容が同じであれば、互いに異なるチャンネルで放送されてもよい。また、第１の番組および第２の番組は、同じ日に放送されてもよい。
【００５７】
また、上記実施形態では、説明の便宜上、制御部の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５８】
１  制御部
３  ＨＤＤ（記録媒体）
２１  チューナ（放送受信部）
１００  ＨＤＤレコーダ（録画装置）
【図１】
2014003497.tif 000003
【図２】
2014003497.tif 000004
【図３】
2014003497.tif 000005
【図４】
2014003497.tif 000006